(57)【要約】着用可能モニターシステムの製造方法は、電極を収容するため、繊維ベースの弾性ベルトを設けるステップを有しており、上記の電極は、前記弾性ベルトに対して電極材料を成形することにより設けられている。必要とする電極が衣服のベルトに一体化されるという事実は、かかるモニターシステムがユーザーフレンドリーであるということに寄与している。さらに、かかるシステムは、洗濯可能であって、さらに、患者の快適性に寄与する。
2005521457.tif 000002
【特許請求の範囲】
【請求項１】
電極を収納するように、繊維ベースの弾性ベルトを設けるステップを有する着用可能モニターシステムの製造方法であって、
前記電極は、前記弾性ベルトに対して電極材料を成形することにより設けられていることを特徴とする方法。
【請求項２】
前記の電極を設けるステップは、前記電極に電気的接続を設けるように、電気配線を含む型を使用し、且つ
前記の配線は、前記型が除去された後、前記電極に永続的に固着されている、
ことを特徴とする請求項１に記載の方法。
【請求項３】
前記電極材料は、導電性ゴムを有し、且つ、
前記成形中、前記導電性ゴムの加硫が実行される、
ことを特徴とする請求項１又は２に記載の方法。
【請求項４】
前記配線に関し、前記弾性ベルトの材料と実質的に同様の弾性を有する材料を使用することを特徴とする請求項２又は３に記載の方法。
【請求項５】
前記配線用の材料は、導電性ゴムであることを特徴とする請求項４に記載の方法。
【請求項６】
請求項１乃至５のいずれか一項に記載の方法に従って製造されたモニターシステムであって、当該システムは、心臓モニターシステムであることを特徴とするモニターシステム。
【請求項７】
少なくとも２つの電極を有することを特徴とする請求項６に記載のモニターシステム。
【請求項８】
モーションセンサーをさらに有することを特徴とする請求項６又は７に記載のモニターシステム。
【発明の詳細な説明】
【技術分野】
【０００１】
本発明は、着用可能モニターシステムの製造方法に関し、この方法は、電極を収納するため繊維ベースの弾性ベルトを設けるステップを含む。
【０００２】
本発明は、さらに心臓モニターのためのシステムに関する。
【背景技術】
【０００３】
着用可能モニターシステムの製造方法は、特許文献１において公知である。この公知の方法によると、繊維性衣服に電極が設けられ、この電極は、接着剤により衣服に縫い付けられ、刺繍を施され、或いは固着される。
【０００４】
先行技術において公知のこの種のモニターシステムは、例えば、心拍数などの患者の生理学的活動をモニターする技術領域に使用されてもよい。この場合、このモニターシステムはユーザーフレンドリーであり患者に不快感を与えることなく長時間患者が着用可能であることが重要である。かかるモニターシステムにおいて電極の数を最小限にし、電極システムが耐久性と信頼性を有することは重要である。
【特許文献１】国際特許出願第９８／４１２７９号明細書
【発明の開示】
【発明が解決しようとする課題】
【０００５】
本発明の目的は、電極が、衣服に確実に固着され、且つ、その製造コストは軽減される、着用可能モニターシステムの製造方法を提供することである。
【課題を解決するための手段】
【０００６】
本発明による上記の方法は、弾性ベルトに対して電極材料を成形することにより電極を設けることを特徴とする。例えば、下着スリップやブラジャーなどの衣服のベルトに電極を固着するように実質的に公知の成形制御を適用することにより、信頼性を有し安価なモニターを製造可能である。衣服のベルトに必要な電極を一体化するという事実は、かかるモニターシステムがユーザーフレンドリーであるということに寄与する。さらに、かかるシステムは、洗濯可能であって、患者の快適性にさらに寄与する。上記の電極が上記の弾性バンドに一体化され、身体が動く間も柔軟であるので、患者の皮膚に対する電極の位置は固定されない。従って、皮膚に対する刺激は最小限である。電極にかかる適合された圧力により、測定中における動きに関するアーティファクトを最小限とすることができ、この圧力は、上記の弾性バンドにおける張力から生じる。この弾性バンドに関する好適な張力は、１２〜２４Ｎの間で選択される。適用される張力は、電極下部の発汗を促進し、導電性を向上させ、従ってノイズの低減をもたらす。一般に、ヒトはウエストに張力を受けることに慣れているので、上記の事柄は患者に不快感をもたらさない。加えて、小型の電極は、モニターシステムがユーザーフレンドリーであることに寄与する。
【０００７】
本発明による方法の一実施例は、電極を設けるステップに関して、電極に電気的接続を提供する電気配線を含む型を使用し、この配線は、型が除かれた後、電極に永続的に固着される。この技術的手段によると、必要な配線は、ベルトに一体化されて、さらに、患者の快適性及びモニターシステムの耐久性に寄与する。この配線材料は、常套的な銅配線で構成していてもよく、或いは、代替的に、導電性シリコンバンドで構成していてもよい。このシリコンバンドは、上記の弾性バンドの弾性に適用するように適宜選択され得る。
【０００８】
本発明による方法に関する実施例は、上記の電極材料が導電性ゴムで構成され、且つ、上記の成形の間、この導電性ゴムの加硫が実行されることを特徴とする。電極を製造するのに導電性ゴムを使用すると有利である。なぜなら、このゴムは、伸縮可能であり、従って、本発明によるシステムがユーザーフレンドリーであることに寄与する。電極材料を衣服のベルトに固着するようにそれ自体公知の加硫工程（圧縮及び加熱）を適用することにより、信頼性が高く、安価なモニターシステムを製造し得ることを見出した。
【０００９】
本発明による方法に関するさらなる実施例は、配線に関して、上記の弾性ベルトの材料と実質的に同様の弾性を有する材料を使用することを特徴とする。この技術的手段は、上記の弾性ベルトとほぼ同一の伸縮性を確保し、本発明のモニターシステムの信頼性に寄与する。これら目的に最適な導電性ゴムも利用可能である。
【００１０】
本発明は、さらにモニターシステムに係り、このモニターシステムは、心臓モニターシステムであることを特徴とする。特に心拍に異常のある患者は、連続的なモニタリングを必要とする。上述の方法により製造されたシステムは、患者にさらなる不快感を与えずに通常の下着衣服として着用可能であるので、非常に利便性が高い。かかるモニターシステムは、生命を脅かす異常が発生した場合に、局部的及び／又は遠隔的にアラームを発生するようにさらに適合されていてもよい。この目的のため、本発明のモニターシステムは、例えば、心停止モニタリングの技術における公知のアラームシステムと一体化されていてもよい。
【００１１】
本発明のモニターシステムに関する実施例は、少なくとも２つの電極を有していることを特徴とする。心停止モニタリングのため、２つの電極を設ければ十分である。これらの電極は、下着の腹部ベルト又はブラジャーの胸部ベルトに一体化されてもよい。ＥＣＧモニタリングに関して、少なくとも３つの電極を設ければ十分である。
【００１２】
本発明によるモニターシステムに関する別のさらなる実施例は、モーションセンサーをさらに有していることを特徴とする。この技術的な特徴により、モニターシステムが心停止を検知する場合、この状況がモーション検出器により二重にチェックされるという利点を有する。この追加の特徴は、誤ったアラームを発生する機会を減少させる。
【００１３】
本発明のこれら及びその他の面は、添付図面と共にする説明により明らかになる。
【発明を実施するための最良の形態】
【００１４】
図１は、本発明による着用可能モニターシステム１に関する概略図を示している。患者Ｐには、弾性ベルト２上に一体化されたセンサー３のセットが提供されており、このセンサーは、本発明の方法に従って弾性ベルトに固着されている。従って、センサー３のセットは、所望の生理学的信号を取得するため、確実に患者の皮膚に接触する位置にある。例えば、かかるモニターシステムは、心活動又は心活動に由来する信号を測定するように配置されていてもよい。電極（図示せず）を有するセンサー３は、蓄積及び分析装置（ＳＡＤ）４に電気的に接続されている。このＳＡＤは、取得した生理学的データを解釈するため、初期データ分析を実行するように配置されていてもよく、或いは、中間データ収集部として機能してもよい。前者の場合、例えばアラームなどのコントロール信号は、上記の初期データ分析が異常を検知した場合、遠隔ステーション６に送信されてもよい。後者の場合、上記のデータは、遠隔ステーション６において分析するため送信される。後者の場合は、異なる目的のため膨大なデータが分析される場合に有利である。心停止を検知するため、上記のベルトに２つのセンサーのみを一体化して使用することが十分であることが分かっている。このセンサーの次に、上記の弾性ベルトにモーション検出器を導入してもよい。この目的のため、公知の種々の携帯可能モーション検出器を使用してもよい。心停止の場合、患者は動くことが出来ず、このモーション検出器によりこの状況が送信される。この場合（患者が動けない場合）、患者の腹部に配置された２つのセンサーにてＥＣＧを測定することが可能である。
【００１５】
図２は、一つのセンサーに関する断面図を概略的に示しており、本発明の方法に従って、弾性ベルト１０に取り付けられた電極アッセンブリ２０を有している。電極材料２０は、例えば、導電性グラファイトとシリコンゲルとの混合物から製造されてもよい。他の適当な材料を電極の製造に使用してもよく、例えば、導電性ゴムを使用してもよい。導電性ゴムが使用される場合、上記の電極ボディーは、加熱及び圧縮のステップを有する実質的に公知の加硫工程により、上記の弾性ベルトに取り付けられてもよい。上記の弾性ベルトは、電極が配置される領域にて切断部を構成するように前処理されてもよい。図２に示すように、電極２４の一部は、上記のベルトのかかる切断部に配置されており、電極の他の部分２２は、弾性ベルト１０に結合されている。電極外部ボディーは、電極の後部表面２３において型（図示せず）により覆われていてもよい。上記のセンサーの電極２０への電気接続は、３０として概略的に示されている配線により実現される。この配線３０は、モニターシステムにおける他の電極へと繋がり、モーション検出器（任意）へと繋がり、且つベルトに結合されている蓄積及び分析装置（図示せず）へと繋がっている。従って、本発明の方法を用いることにより、安価で耐久性と信頼性を有する着用可能モニターシステムを容易に実現可能となる。
【図面の簡単な説明】
【００１６】
【図１】モニターシステムの実施例に関する概略図を示す。
【図２】本発明の方法により、弾性ベルトに取り付けされた１つのセンサーの断面図の実施例を概略的に示す。
【図１】
2005521457.tif 000003
【図２】
2005521457.tif 000004
【国際調査報告】
2005521457.tif 000005
2005521457.tif 000006